(57)【要約】【課題】リモコンの操作に伴う不要なチャンネル情報表示を防止する技術を提供する。【解決手段】第１ のチューナー及び第２ のチューナーを有するチューナー部と、前記チューナー部で処理された番組映像を表示する表示部と、番組を選択する操作ボタンを有する入力部と、これらを統括的に制御する制御部とを備え、前記入力部は、操作ボタンに接触があったときに第１の操作信号を発生し、前記操作ボタンが押し込まれたときに第２ の操作信号を発生するように構成され、前記制御部は、前記第１ のチューナーで受信している番組映像の表示中に前記第１の操作信号を検出したとき、前記第１の操作信号に対応する前記第２のチューナーで受信する番組情報の表示を前記第１ の番組映像の中で実行し、前記第２ の操作信号を検出したとき、前記第２ のチューナーで受信する番組映像の表示に切換えるように制御することを特徴とするデジタル放送受信装置。【選択図】  図２
2011155540.tif 000002
【特許請求の範囲】
【請求項１】
デジタル放送を受信して当該放送に含まれるデータを処理し番組映像として表示するようにしたデジタル放送受信装置であって、
第１ のチューナー及び第２ のチューナーを有するチューナー部と、
前記チューナー部で処理された番組映像を表示する表示部と、
番組を選択する操作ボタンを有する入力部と、
これらを統括的に制御する制御部とを備え、
前記入力部は、操作ボタンに接触があったときに第１の操作信号を発生し、前記操作ボタンが押し込まれたときに第２ の操作信号を発生するように構成され、
前記制御部は、前記第１ のチューナーで受信している番組映像の表示中に前記第１の操作信号を検出したとき、前記第１の操作信号に対応する前記第２のチューナーで受信する番組情報の表示を前記第１ の番組映像の中で実行し、前記第２ の操作信号を検出したとき、前記第２ のチューナーで受信する番組映像の表示に切換えるように制御することを特徴とするデジタル放送受信装置。
【請求項２】
デジタル放送を受信して当該放送に含まれるデータを処理し番組映像として表示するようにしたデジタル放送受信装置であって、
チューナー部で処理された番組映像を表示する表示部と、
番組を選択する操作ボタンを有する入力部と、
これらを統括的に制御する制御部とを備え、
前記入力部は、操作ボタンに接触があったときに第１の操作信号を発生し、前記操作ボタンが押し込まれたときに第２ の操作信号を発生するように構成され、
前記制御部は、前記第１の操作信号を検出したとき、前記第１の操作信号に対応する処理の表示を実行するように制御することを特徴とするデジタル放送受信装置。
【請求項３】
デジタル放送を受信して当該放送に含まれるデータを処理し番組映像として表示するようにしたデジタル放送受信装置であって、
第１ のチューナー及び第２ のチューナーを有するチューナー部と、
前記チューナー部で処理された番組映像を表示する表示部と、
番組を選択する操作ボタンを有する入力部と、
これらを統括的に制御する制御部とを備え、
前記入力部は、操作ボタンに接触があったときに第１の操作信号を発生し、前記操作ボタンが押し込まれたときに第２ の操作信号を発生するように構成され、
前記制御部は、前記第１の操作信号を検出したとき、前記第１の操作信号に対応する選局先のチヤンネル情報を画面にポップアップ表示するように制御することを特徴とするデジタル放送受信装置。
【請求項４】
更に第１ のチューナー及び第２ のチューナーを有する前記チューナー部を備えたことを特徴とする請求項２に記載のデジタル放送受信装置。
【請求項５】
第１ のチューナー及び第２ のチューナーを有するチューナー部と、前記チューナー部で処理された番組映像を表示する表示部と、番組を選択する操作ボタンを有する入力部と、これらを統括的に制御する制御部とを備え、デジタル放送を受信して当該放送に含まれるデータを処理し番組映像として表示するようにしたデジタル放送受信装置におけるデジタル放送受信方法であって、
前記入力部は、操作ボタンに接触があったときに第１の操作信号を発生し、前記操作ボタンが押し込まれたときに第２ の操作信号を発生し、
前記制御部は、前記第１ のチューナーで受信している番組映像の表示中に前記第１の操作信号を検出したとき、前記第１の操作信号に対応する前記第２のチューナーで受信する番組情報の表示を前記第１ の番組映像の中で実行し、前記第２ の操作信号を検出したとき、前記第２ のチューナーで受信する番組映像の表示に切換えるように制御することを特徴とするデジタル放送受信装置。
【発明の詳細な説明】
【技術分野】
【０００１】
本発明は、リモコン装置に係わり、特にボタンにタッチセンサーを付加したリモコンによるデジタル放送受信装置のチャンネル情報表示方法に関する。
【背景技術】
【０００２】
従来の一般的なチャンネル切換時の選局先チャンネル情報表示技術として通常は、デジタル放送受信機では、チャンネルを切り換える場合、ユーザーからのチャンネル切換の指示（ユーザーがリモコンの選局ボタンを押すなど）を受けてから、デジタル放送受信機側でチャンネル切換処理を開始するのと同時に、選局先チャンネルの情報（サービスＩＤ、サービス名称、放送している番組タイトルなど）をテレビ画面上に表示する。
【０００３】
この方法では、ユーザーはチャンネル切換の指示を出した後でないと、選局先チャンネル情報を確認することができないため、万一誤操作した場合、テレビ画面上に表示される選局先チャンネル情報を確認して誤操作に気が付くのは、チャンネル切換を実施した後となる。
【０００４】
デジタル放送受信機におけるリモートコントロールの方法については、リモコンを持たずに手の動きで指示する方法やリモコンにボタンの代わりにタッチセンサーパネルを搭載する方法（キーの配置はテレビ画面上で確認）など各種の方法が工夫されているが、上記問題に関連する方法として特許文献１に記載の方法が提案されている。しかしながら特許文献１に記載の方法は、「第１のチューナで受信している番組映像の表示中に第１の操作信号を検出したとき、第１の操作信号に対応する番組の受信を第２のチューナで開始し、第２の操作信号を検出したとき、第２のチューナで受信中の番組映像の表示に切換えるように制御する。」という選局の前倒しであり上記の問題を解決する技術は開示されていない。
【先行技術文献】
【特許文献】
【０００５】
【特許文献１】特開２００７−２６７３２３号公報
【発明の概要】
【発明が解決しようとする課題】
【０００６】
本発明は、リモコンの操作に伴う不要なチャンネル情報表示を防止する技術を提供することを目的とする。
【課題を解決するための手段】
【０００７】
上記課題を解決するために、本発明のデジタル放送受信装置は、デジタル放送を受信して当該放送に含まれるデータを処理し番組映像として表示するようにしたデジタル放送受信装置であって、第１のチューナー及び第２ のチューナーを有するチューナー部と、前記チューナー部で処理された番組映像を表示する表示部と、番組を選択する操作ボタンを有する入力部と、これらを統括的に制御する制御部とを備え、前記入力部は、操作ボタンに接触があったときに第１の操作信号を発生し、前記操作ボタンが押し込まれたときに第２ の操作信号を発生するように構成され、前記制御部は、前記第１ のチューナーで受信している番組映像の表示中に前記第１の操作信号を検出したとき、前記第１の操作信号に対応する前記第２のチューナーで受信する番組情報の表示を前記第１ の番組映像の中で実行し、前記第２ の操作信号を検出したとき、前記第２ のチューナーで受信する番組映像の表示に切換えるように制御することを特徴とする。
【発明の効果】
【０００８】
本発明によれば、リモコンの操作に伴う不要なチャンネル情報表示を防止できるデジタル放送受信装置が得られる。
【図面の簡単な説明】
【０００９】
【図１】本発明の一実施形態に係わるテレビ受信装置の構成を概略的に示すブロック図。
【図２】同実施形態のチャンネル切換ボタンにタッチセンサー機能を付加したリモートコントローラのイメージ図。
【図３】同実施形態の効果を説明するために示す図。
【図４】他の実施形態のチャンネル切換ボタンとは別にチューナー選局用ボタンを用意したリモートコントローラのイメージ図。
【図５】同実施形態に用いられるチューナー選局用ボタンをチャンネル切換ボタンに隣接させたリモートコントローラのイメージ図。
【発明を実施するための形態】
【００１０】
以下、本発明の実施形態を説明する。
（実施形態１）
本発明による実施形態１を図１乃至図３を参照して説明する。
まず以下に、図１を参照して本発明の一実施形態に係わるテレビ受信装置について説明する。
図１は、本発明の一実施形態に係わるテレビ受信装置の構成を概略的に示している。このテレビ受信装置は、地上アナログ放送波、並びにＢＳ、ＣＳ及び地上デジタル放送波を受信可能であり、マイクロプロセッサ１０、デジタル用チューナ１１、アナログ用チューナ１２、デジタル用復調器１３、アナログ用復調器１４及びＴＳ復号器１５を備えている。
【００１１】
ＢＳ、ＣＳ及び地上デジタル放送波は、アンテナ１で受信され、この受信信号がデジタル用チューナ１１に供給される。同様に、地上アナログ放送波は、アンテナ１で受信され、この受信信号がアナログ用チューナ１２に供給される。デジタル用チューナ１１及びアナログ用チューナ１２は、フェーズロックドループ(ＰＬＬ)方式を採用し、マイクロプロセッサ１０の制御により中心周波数及び帯域幅等の受信パラメータを指定してそれぞれ所望の放送波を選局するために用いられる。
【００１２】
デジタル用チューナ１１で選局した放送波の受信信号は、例えば日本の地上デジタル放送の場合にＯＦＤＭ(orthogonal frequency division multiplexing)方式のデジタル用復調器１３及びＴＳ復号器１５に順次供給され、これらでデジタル映像信号及び音声信号に復調及び復号される。アナログ用チューナ１２で選局された受信信号は、アナログ用復調器１４に供給され、ここでアナログ映像信号及び音声信号に復調される。
【００１３】
このテレビ受信装置は、更に、信号処理部１６、グラフィック処理部１７、ＯＳＤ(on screen display)信号生成部１８、映像処理部１９、ディスプレイ２０、音声処理部２１、スピーカ２２、操作パネル２３、赤外線受光部２４、リモコン２５、フラッシュメモリ２６、ＵＳＢ(Universal Serial Bus)コネクタ２７、カードコネクタ２８、及びネットワーク通信回路２９を備える。信号処理部１６は、ＴＳ復号器１５からのデジタル映像信号及び音声信号に対して選択的に所定のデジタル信号処理を施し、それぞれグラフィック処理部１７及び音声処理部２１に出力する。また、信号処理部１６は、アナログ用復調器１４からのアナログ映像信号及び音声信号を選択的にデジタル化し、このデジタル化された映像信号及び音声信号に対して所定のデジタル信号処理を施し、それぞれグラフィック処理部１７及び音声処理部２１に出力する。
【００１４】
グラフィック処理部１７は、信号処理部１６から出力されたデジタル映像信号にＯＳＤ信号生成部１８で生成されたＯＳＤ信号を選択的に重畳して出力する。映像処理部１９は、グラフィック処理部１７から出力されたデジタル映像信号に対してディスプレイ２０に適合させる例えばサイズ調整等の変換を行う。ディスプレイ２０は、映像処理部１９から出力された映像信号に対応する映像を表示する。音声処理部２１は、信号処理部１６から出力されたデジタル音声信号をスピーカ２２に適合させる音量調整等の変換を行う。スピーカ２２は、音声処理部２１から出力された音声信号に対応する音声を再生する。
【００１５】
マイクロプロセッサ１０は、操作パネル２３からの操作情報、またはリモコン２５から送出され赤外線受光部２４で受信された操作情報を受けて、その操作内容が反映されるように各コンポーネントを制御する。ここで、操作パネル或いはキーボード２３及びリモコン２５は、ユーザーインタフェースとして機能する操作モジュールに相当している。図１に示すように、マイクロプロセッサ１０は、様々な処理及び制御を行うＣＰＵ(central processing unit）３１、このＣＰＵ３１の制御プログラム及び様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報及び制御情報を入出力するインタフェース３４、及び放送波やネットワーク経由で取得される時刻情報及び日付情報に従って補正される時計回路３５を含んでいる。
【００１６】
ＵＳＢコネクタ２７は、様々なＵＳＢ機器を接続するために設けられている。カードコネクタ２８は、様々なメディアカードを接続するために設けられている。また、ネットワーク通信回路２９は、インターネットに直接あるいはＬＡＮ(local area network)経由で接続されている。時刻情報を放送波から取得する場合は、アンテナ１で受信した信号から、また時刻情報，天気，占い等基礎データをネットワークから取得する場合は、ネットワーク通信回路２９から、それぞれマイクロプロセッサ１０に取り込まれる。
【００１７】
不揮発性メモリとしてのフラッシュメモリ２６には、予め製造側においてテレビ受信装置の出荷段階でＢＧＭ(プリインストールＢＧＭ）及びこのＢＧＭを再生するために利用される様々な登録情報を格納しておいてもよい。
【００１８】
またＵＳＢコネクタ２７やカードコネクタ２８は、外部からＵＳＢ機器（メモリ等）やメディアカードを接続して動画、写真、音楽データを読み出すことができる。
マイクロプロセッサ１０は、例えばフォトビューア機能やフォトフレーム機能を実現するために、ＵＳＢコネクタ２７に接続されるＵＳＢメモリやカードコネクタ２８に接続されるメディアカードにファイルとして保持される１または複数のフォト画像を取り込み、信号処理部１６、グラフィック処理部１７、及び映像処理部１９での処理を経て各フォト画像をディスプレイ２０に表示させる制御を行えるように構成されている。
【００１９】
ここで既存技術として図１１に、従来のDTVセットにおけるHDDに録画された放送を再生する際のデータ処理を機能ブロック図として示す。
図１１では、HDD（Ｈ）から読み出されたTSデータは、Demux（デマルチプレクサ）２の処理にて、ユーザーから指定された条件に応じて、Audioデータ、Videoデータ、字幕データに分離される。
【００２０】
分離されたAudioデータはAudioデコーダー３にて、データに付属する再生時刻データに合わせてデータをデコードし、出力処理６へデコードしたデータを出力される。
【００２１】
分離されたVideoデータはVideoデコーダー４にて、データに付属する再生時刻データに合わせてデータをデコードし映像合成処理７へデコードしたデータを出力される。
【００２２】
分離された字幕データは字幕処理５にて、データに付属する表示時刻に応じて字幕データを処理しOSD情報を作成し、映像合成処理７へ出力される。
映像合成処理７は、Videoデコーダー４および字幕処理５からのデータを合成し最終的にTVの画面上へ表示する画像データを作成し、出力処理６で示す出力処理へ合成した画像データを出力される。
【００２３】
出力処理６で示す出力処理は、Audioデコーダー３からの入力であるデコードされた音声データをTVセットの音声出力へ音声として出力し、映像合成処理７からの入力である合成した画像データをTVセットの画面上へ表示され、TVセットして視聴が可能となる。
【００２４】
なおリモコン２５は、入力部を構成するものであり、図示せぬ操作部と、リモコン側通信部と、リモコン制御部と、リモコン記憶部とを備えて構成されている。ボタンに取り付けられたタッチセンサーで、ユーザーがボタンに触れたことを検出した場合、そのボタンをした場合にどのような処理が実行されるかを、テレビ画面上に表示してユーザーに通知する。テレビ画面上に表示する方法以外に、音声やＬＥＤ表示でユーザーに通知する方法も構成可能である。
【００２５】
次にチャンネル切換ボタンにタッチセンサー機能を付加したリモートコントローラのイメージ図を図２に示す。図２の例ではチャンネル切換に直接関連のある、通常のダイレクトチャンネル切換ボタン（１〜１２）と放送切換ボタンとメディア、ＣＨアップとダウンの各ボタンにタッチセンサー機能を設けている。
【００２６】
チャンネル切換ボタンの表面のタッチセンサーで、ユーザーがチャンネル切換ボタンに指を乗せたことを検出したときに、選局先のチャンネル情報を画面にポップアップ表示する（例えばチャンネル番号や、図３（ａ）のようなチャンネルロゴＬ）。
【００２７】
以上の実施例の効果として誤操作が防止できる。また暗闇での操作時などにも便利である。また操作途中で誤って、終了ボタン／戻るボタン／電源ボタンを押したりすることを防げる。
【００２８】
実施例の効果として通常、デジタル放送受信機では、チャンネルを切り換える場合、ユーザーからのチャンネル切換の指示（ユーザーがリモコンの選局ボタンを押すなど）を受けてから、デジタル放送受信機側でチャンネル切換処理を開始するのと同時に、選局先チャンネルの情報（サービスＩＤ、サービス名称、放送している番組タイトルなど）をテレビ画面上に表示するが、この方法では、ユーザーはチャンネル切換の指示を出した後でないと、選局先チャンネル情報を確認することができないため、万一誤操作した場合、テレビ画面上に表示される選局先チャンネル情報を確認して誤操作に気が付くのは、チャンネル切換を実施した後となり、誤操作を防止できない。
【００２９】
一方、チャンネル切換ボタンの表面のタッチセンサーで、ユーザーがチャンネル切換ボタンに指を乗せたことを検出したときに、選局先のチャンネル情報を画面にポップアップ表示すれば、実際にチャンネル切換ボタンを押してチャンネルを切り換える前に、ユーザーは選択したいチャンネルかどうかを確認できるため、選局誤操作の防止になる。
【００３０】
＜実施例２＞
誤操作防止だけではなく、ミニ番組表的な裏番組ガイドとしても利用できる。裏のチャンネルでどんな番組を放送しているのか気になったとき、チャンネル切換ボタンに触れるだけで確認することができる。表示情報が１チャンネル分なので、現行のミニ番組表よりも高速に表示することができる。また、番組内容を確認して気に入った場合は、指を乗せているキーをそのまま押せば、すぐに選局することできる。実施例２の効果として、チャンネル切換ボタンに触れるだけで確認することができる。また表示情報が１チャンネル分なので、現行のミニ番組表よりも高速に表示することができる。また番組内容を確認して気に入った場合は、指を乗せているボタンをそのまま押せば、すぐにそのチャンネルに切り換えることできるため便利である。
【００３１】
＜実施例３＞
放送切換ボタン（地デジ／ＢＳ／ＣＳ）に触れながら、（または触れた後に）チャンネル切換ボタンに触れることで、別のネットワークについても、チャンネル情報表示することができる。実施例３の効果としてキー入力を工夫することで、別のネットワークでも、チャンネル情報を表示することができる。
【００３２】
＜実施例４＞
７０チャンネル近くあるＣＳ放送についても裏番組のチャンネル情報を確認できるように、ダイレクト選局テーブルのページ切換機能を用意する。例えば、ＣＳキーに触れることでページ切換する。これにより、全ての放送チャンネルのチャンネル情報を確認することができる。実施例４の効果として７０チャンネル近くあるＣＳ放送でも、全ての裏番組のチャンネル情報を確認できるようになる。
【００３３】
＜実施例５＞
チャンネル切換だけではなく、ＨＤＭＩ入力などの外部入力への入力切換についても応用でき、実際に入力切換を実施する前に、外部入力情報を確認することができる。
【００３４】
実施例５の効果としてＨＤＭＩ入力などの外部入力への入力切換でも、実際に入力切換を実施する前に、外部入力情報を確認することができる。
＜実施例６＞
リモコンボタン押下の事前検出するための操作手段は、タッチセンサー以外でも構わない。例えば、非接触型のセンサーや半押し検出ボタン（カメラのシャッターボタンのようなもの）などによって構成してもよい。実施例６の効果としてタッチセンサー以外の非接触型のセンサーや半押し検出ボタンを利用しても実現できる。また非接触型のセンサーを使った場合、ボタンに触れる前にボタン検出できるため、タッチセンサーよりも早く検出できる。
【００３５】
＜実施例７＞
チャンネル情報表示を実施するための操作手段は何でもよい。タッチセンサー／非接触センサー／半押し検出ボタン（カメラのシャッターボタンのようなもの）／キーの２重押し判定（シフトキーのような）／キーの押し方（ダブルクリック判定や長押し判定）などによって構成してもよい。実施例７の効果としてチャンネル情報表示を実施するための操作手段はいろいろなものがあり、タッチセンサー以外の  非接触センサー／半押し検出ボタン（カメラのシャッターボタンのようなもの）／キーの２重押し判定（シフトキーのような）／キーの押し方（ダブルクリック判定や長押し判定）などにより操作できる。
【００３６】
＜実施例８＞
非接触型のセンサーを用いる場合、押されようとしているボタンを検出・特定できる能力さえあれば、ボタン個々には取り付ける必要はない。
実施例８の効果としてセンサーをボタン個々に取り付ける必要がない。
（実施形態のポイント）
以下に基本ポイントと補足ポイントとに分けて列挙する。
＜基本ポイント１＞
リモコンのボタンに個々にタッチセンサーを取り付け、ボタンの押下の通知とは別に、ユーザーがボタンに触れたことを検出して通知する。
＜基本ポイント２＞
ボタンに取り付けられたタッチセンサーで、ユーザーがボタンに触れたことを検出した場合、検出したボタンの名称やそのボタンを押した場合にどのような処理が実行されるかを、テレビ画面上に表示してユーザーに通知する。これにより、誤操作を防止する。暗闇での操作にも便利である。
【００３７】
＜基本ポイント３＞
チャンネル切換ボタンのタッチセンサーで、ユーザーがチャンネル切換ボタンに指を乗せたことを検出したときに、選局先のチャンネル情報を画面にポップアップ表示することで、実際にチャンネル切換ボタンを押してチャンネルを切り換える前に、ユーザーは選局したいチャンネルかどうかを確認できるため、チャンネル切換操作の誤操作防止になる。
【００３８】
表示するチャンネル情報としては、サービスロゴ／サービスID／サービス名称／イベント名称／イベント開始時間／イベント終了時間／番組説明の詳細情報／信号解像度／信号アスペクト比／データ放送の有無／画面サイズ情報などが考えられる。
【００３９】
＜基本ポイント４＞
誤操作防止だけではなく、ミニ番組表的な裏番組ガイドとしても利用できる。
裏のチャンネルでどんな番組を放送しているのか気になったとき、チャンネル切換ボタンに触れるだけで裏番組のチャンネル情報を確認することができる。
表示情報が１チャンネル分なので、現行のミニ番組表よりも高速に表示することができる。
また、番組内容を確認して気に入った場合は、指を乗せているボタンをそのまま押せば、すぐにそのチャンネルに切り換えることできるため便利。
＜補足ポイント１＞
放送切換ボタン（地デジ／ＢＳ／ＣＳ）に触れながら、（または触れた後に）チャンネル切換ボタンに触れることで、別のネットワークについても、チャンネル情報表示することができる。
【００４０】
＜補足ポイント２＞
７０チャンネル近くあるＣＳ放送についても裏番組のチャンネル情報を確認できるように、ダイレクト選局テーブルのページ切換機能を用意する。例えば、ＣＳキーに触れることでページ切換する。これにより、全ての放送チャンネルのチャンネル情報を確認することができる。
【００４１】
＜補足ポイント３＞
チャンネル切換だけではなく、ＨＤＭＩ入力などの外部入力への入力切換についても応用でき、実際に入力切換を実施する前に、外部入力情報を確認することができる。
【００４２】
＜補足ポイント４＞
リモコンボタン押下の事前検出するための操作手段は、タッチセンサー以外でも構わない。例えば、非接触型のセンサーや半押し検出ボタン（カメラのシャッターボタンのようなもの）などが考えられる。
【００４３】
＜補足ポイント５＞
チャンネル情報表示を実施するための操作手段は何でもよい。タッチセンサー／非接触センサー／半押し検出ボタン（カメラのシャッターボタンのようなもの）／キーの２重押し判定（シフトキーのような）／キーの押し方（ダブルクリック判定や長押し判定）などが考えられる。
【００４４】
＜補足ポイント６＞
非接触型のセンサーの場合、触れているまたは触れようとしているボタンを検出・特定できる能力さえあれば、ボタン個々には取り付ける必要はない。
＜補足ポイント７＞
現行のリモートコントローラ操作と互換性が高く、特別難しい操作は必要ないため、現行のリモートコントローラ操作に慣れているユーザーも問題なく操作ができる。
（デジタル放送受信機への応用の様態）
以下に列挙する。
（１）コントローラの個々の操作ボタンにタッチセンサーを付加して、ボタン押下の検出とは別に、ボタンに触れたことを検出する機能を持つデジタル放送受信機。
（２）コントローラの操作ボタンに半押し検出ボタンを使用して、ボタン押下の検出とは別に、ボタンの半押しを検出する機能を持つデジタル放送受信機。
（３）コントローラに非接触型のセンサーを付加して、ボタン押下の検出とは別に、ユーザーによる押下が予想されるボタンを検出する機能を持つデジタル放送受信機。
【００４５】
（４）コントローラの個々の操作ボタンに非接触型のセンサーを付加して、ボタン押下の検出とは別に、ボタンに触れたことを検出する機能を持つデジタル放送受信機。
【００４６】
（５）コントローラのチャンネル切換ボタンに個別にタッチセンサーを付加して、ボタン押下の検出とは別に、チャンネル切換ボタンに触れたことを検出する機能を持つデジタル放送受信機。
【００４７】
（６）コントローラのチャンネル切換ボタンに半押し検出ボタンを使用して、ボタン押下の検出とは別に、チャンネル切換ボタンの半押しを検出する機能を持つデジタル放送受信機。
【００４８】
（７）コントローラに非接触型のセンサーを付加して、チャンネル切換ボタンの押下の検出とは別に、ユーザーによるボタン押下が予想されるチャンネル切換ボタンを検出する機能を持つデジタル放送受信機。
【００４９】
（８）コントローラのチャンネル切換ボタンに個別に非接触型のセンサーを付加して、ボタン押下の検出とは別に、チャンネル切換ボタンに近づけたことを検出する機能を持つデジタル放送受信機。
【００５０】
（９）コントローラの入力切換ボタンに個別にタッチセンサーを付加して、ボタン押下の検出とは別に、入力切換ボタンに触れたことを検出する機能を持つデジタル放送受信機。
【００５１】
（１０）コントローラの入力切換ボタンに半押し検出ボタンを使用して、ボタン押下の検出とは別に、入力切換ボタンの半押しを検出する機能を持つデジタル放送受信機。
【００５２】
（１１）コントローラに非接触型のセンサーを付加して、入力切換ボタンの押下の検出とは別に、ユーザーによるボタン押下が予想される入力切換ボタンを検出する機能を持つデジタル放送受信機。
【００５３】
（１２）コントローラの入力切換ボタンに個別に非接触型のセンサーを付加して、ボタン押下の検出とは別に、入力切換ボタンに触れたことを検出する機能を持つデジタル放送受信機。
【００５４】
（１３）ボタンに取り付けられたタッチセンサーで、ユーザーがボタンに触れたことを検出した場合、そのボタンを押した場合にどのような処理が実行されるかを、テレビ画面上に表示してユーザーに通知する誤操作防止機能。
【００５５】
（１４）半押し検出ボタンで、ユーザーがボタンに触れたことを検出した場合、そのボタンを押した場合にどのような処理が実行されるかを、テレビ画面上に表示してユーザーに通知する誤操作防止機能。
【００５６】
（１５）コントローラに取り付けられた非接触センサーで、ユーザーによるボタンの押下が予想される場合、そのボタンを押した場合にどのような処理が実行されるかを、テレビ画面上に表示してユーザーに通知する誤操作防止機能。
【００５７】
（１６）第１の操作手段により実施されるチャンネル切換処理があるとき、これとは別に、前記チャンネル切換処理で切換られるチャンネルのチャンネル情報表示の実施を指示する第２の操作手段を備えることを特徴とするチャンネル情報表示方法。
【００５８】
（１７）第１の操作手段により実施される入力切換処理があるとき、これとは別に、前記入力切換処理で切換られる外部入力の外部入力情報表示の実施を指示する第２の操作手段を備えることを特徴とする外部入力情報表示方法。
【００５９】
（１８）第１の操作手段と第２の操作手段を隣接させたことを特徴とする（１６）のチャンネル情報表示方法。
（１９）第１の操作手段と第２の操作手段を隣接させたことを特徴とする（１７）の外部入力情報表示方法。
（２０）第１の操作手段と第２の操作手段として第１の操作手段と同一のボタンを割り当て、ボタンの押し方により第１の操作と第２の操作とを区別することを特徴とする（１６）のチャンネル情報表示方法。
【００６０】
（２１）第１の操作手段と第２の操作手段として第１の操作手段と同一のボタンを割り当て、ボタンの押し方により第１の操作と第２の操作とを区別することを特徴とする（１７）の外部入力情報表示方法。
【００６１】
（実施形態２）
本発明による実施形態３を図１及び図３乃至図５を参照して説明する。実施形態１と共通する部分は説明を省略する。
チャンネル切換ボタンとは別にチューナー選局用ボタンを用意したリモートコントローラのイメージ図を図４に示す。
チャンネル切換を指示する通常のダイレクトチャンネル切換ボタン（１〜１２）とは別に、チューナー選局を実施するための操作手段として、チューナー選局ボタン（１’〜１２’）を用意する。
【００６２】
チャンネル切換を実施する場合、チャンネル切換ボタンを押す前に、対応するチューナー選局ボタンを押すことで、事前にチューナー選局を済ませることができる。
チャンネル切換する前にチューナー選局を済ませておくことで、実際にチャンネル切換が指示された場合のチャンネル切換に掛かる時間を飛躍的に短縮できる効果も持たせることができる。
【００６３】
＜実施例２＞
チューナー選局用ボタンをチャンネル切換ボタンに隣接させたリモートコントローラのイメージ図を図５に示す。
チャンネル切換を指示する通常のダイレクトチャンネル切換ボタン（１〜１２）とは別に、チューナー選局を実施するための操作手段として、チューナー選局ボタン（１’〜１２’）を用意する。
【００６４】
チューナー選局用ボタンは、それに対応するチャンネル切換ボタンと隣接する位置に配置する。
チャンネル切換を実施する場合、チャンネル切換ボタンを押す前に、対応するチューナー選局ボタンを押すことで、事前にチューナー選局を済ませることができる。
チャンネル切換する前にチューナー選局を済ませておくことで、実際にチャンネル切換が指示された場合のチャンネル切換に掛かる時間を飛躍的に短縮できる効果も持たせることができる。
【００６５】
上記のように、ボタンにタッチセンサーを付加したリモコンと、このリモコンを使った誤操作防止方法とチャンネル情報表示方法を説明した。本実施形態を使えば、少しのコストアップで、画質／省エネなどの性能と同様、もしくはそれ以上にユーザーへのアピールポイントとなると想定される。
【００６６】
（アピールポイント）
（１）  ボタンに取り付けられたタッチセンサーで、ユーザーがボタンに触れた事を検出した場合、そのボタンを押した場合、どのような処理が実行されるかをテレビ画面上に表示してユーザーに通知する。
【００６７】
（２）  チヤンネル切換ボタンの表面のタッチセンサーで、ユーザーがチヤンネル切換ボタンに指を乗せたことを検出した時、選局先のチヤンネル情報を画面にポップアップ表示する。
【００６８】
（３）  ミニ番組表的な裏番組ガイド としての利用。裏のチヤンネルでどんな番組を放送しているかを知る場合、チヤンネル切換ボタンに触れるだけで確認することができ、番組内容を確認して気に入った場合は、指を乗せているキーをそのまま押せばすぐに選局できる。
【００６９】
なお、この発明は上記実施形態に限定されるものではなく、この外その要旨を逸脱しない範囲で種々変形して実施することができる。例えば、デジタル放送受信機への応用の様態を説明したが、以下のようにより広汎な応用も可能である。
【００７０】
（１）  個々の操作ボタンにタッチセンサーを付加して、ボタン押下の検出とは別に、ボタンに触れたことを検出する機能を持つコントローラ。
（２）  非接触型のセンサーを付加して、ボタン押下の検出とは別に、ユーザーによる押下が予想されるボタンを検出する機能を持つコントローラ。
（３）  個々の操作ボタンにタッチセンサーを付加して、ボタン押下の検出とは別に、ボタンに触れたことを検出する機能を持つデジタル放送受信機のコントローラ。
（４）  非接触型のセンサーを付加して、ボタン押下の検出とは別に、ユーザーによる押下が予想されるボタンを検出する機能を持つデジタル放送受信機のコントローラ。
【００７１】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００７２】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５…リモコン、２６…フラッシュメモリ、２７…ＵＳＢコネクタ、２８…カードコネクタ、２９…ネットワーク通信回路。
【図１】
2011155540.tif 000003
【図２】
2011155540.tif 000004
【図３】
2011155540.tif 000005
【図４】
2011155540.tif 000006
【図５】
2011155540.tif 000007